(57)【特許請求の範囲】
【請求項１】
電子機器であって、
前記電子機器の表面側の第１の面と、当該第１の面とは反対側の第２の面とを有するパネルと、
前記パネルの厚み方向において前記第２の面と対向する部分を有し、電気信号を音に変換して当該音を出力するスピーカと、
ケースと
を備え、
前記音を前記電子機器の外側に導くための開口部が、前記ケースに位置し、
前記ケースは、前記パネルの前記第２の面を支持する支持部を有し、
前記開口部は、前記支持部の厚み方向に貫通する貫通穴であって、
前記貫通穴は、前記支持部における前記パネル側の第３の面に設けられた第１開口と、前記支持部における前記第３の面とは反対側の第４の面に設けられた第２開口とを有し、
前記スピーカは、前記第２開口と対向し、
前記パネル及び前記貫通穴を前記第１の面側から見た際には、前記パネルと前記貫通穴とは、前記第１及び第２の面に平行な第１方向に沿って並び、
前記貫通穴の内壁は、前記第１方向において互いに対向する第１及び第２対向面を有し、
前記第１対向面は、前記第２対向面よりも前記パネル側に位置し、
前記第１の面側からの平面透視において、前記パネルと、前記第１対向面での前記第２開口側の一端とは互いに重なり、
前記第２対向面での前記第１開口側の一端は、前記パネルで覆われておらず、
前記第１対向面は、前記第２開口側から前記第１開口側にかけて、前記第１対向面から前記第２対向面に向かう第２方向に傾斜する第１傾斜領域を有し、
前記第２対向面は、前記第２開口側から前記第１開口側にかけて、前記第２方向に傾斜する第２傾斜領域を有する、電子機器。
【請求項２】
請求項１に記載の電子機器であって、
前記第１対向面は、前記第１傾斜領域と繋がり、前記第１方向において前記第２傾斜領域と対向する第１垂直領域を有し、
前記第２対向面は、前記第２傾斜領域と繋がり、前記第１方向において前記第１傾斜領域と対向する第２垂直領域を有し、
前記第１対向面では、前記第１傾斜領域は前記第２開口側に位置し、前記第１垂直領域は前記第１開口側に位置し、
前記第２対向面では、前記第２傾斜領域は前記第１開口側に位置し、前記第２垂直領域は前記第２開口側に位置する、電子機器。
【請求項３】
電子機器であって、
前記電子機器の表面側の第１の面と、当該第１の面とは反対側の第２の面とを有するパネルと、
前記パネルの厚み方向において前記第２の面と対向する第１部分を有し、電気信号を音に変換して当該音を出力するスピーカと、
ケースと
を備え、
前記音を前記電子機器の外側に導くための開口部が、前記ケースに位置し、
前記ケースは、前記パネルの前記第２の面を支持する支持部を有し、
前記開口部は、前記支持部の厚み方向に貫通する第１貫通穴であって、
前記第１貫通穴は、前記支持部における前記パネル側の第３の面に設けられた第１開口と、前記支持部における前記第３の面とは反対側の第４の面に設けられた第２開口とを有し、
前記スピーカは、前記第２開口と対向し、
前記パネルの端部は、前記第１開口を部分的に覆う第２部分を有し、
前記第２部分を覆うカバー部材をさらに備え、
前記カバー部材は、前記第１貫通穴と対向する第２貫通穴を有し、
前記カバー部材は、前記パネルの厚み方向において当該パネルと対向する対向面を有し、
前記対向面は、前記パネルの厚み方向において前記第２部分と対向する第１領域と、前記パネルの厚み方向において当該パネルを間に挟んで前記支持部と対向する第２領域とを有し、
前記第１領域は、
前記パネルの厚み方向において前記第２領域よりも前記パネルから離れた位置に存在し、前記第２部分に含まれる、前記端部の端面を含む第３部分と対向する第３領域を有する、電子機器。
【請求項４】
請求項１乃至請求項３のいずれか一つに記載の電子機器であって、
前記スピーカは、受話音を出力するレシーバである、電子機器。
【請求項５】
請求項１乃至請求項４のいずれか一つに記載の電子機器であって、
前記パネルは、前記電子機器の表面に設けられたサファイア層を含む、電子機器。
【発明の詳細な説明】
【技術分野】
【０００１】
本発明は、電子機器に関する。
【背景技術】
【０００２】
特許文献１に記載されているように、従来から電子機器に関して様々な技術が開示されている。
【先行技術文献】
【特許文献】
【０００３】
【特許文献１】特開２０１３−１３１９８７号公報
【発明の概要】
【発明が解決しようとする課題】
【０００４】
電子機器の表面にパネルが設けられることがある。このようなパネルは、割れにくいことが望まれる。
【０００５】
そこで、本発明は上述の点に鑑みて成されたものであり、電子機器の表面に設けられるパネルを割れにくくすることが可能な技術を提供することを目的とする。
【課題を解決するための手段】
【０００６】
電子機器が開示される。一の実施の形態では、電子機器は、パネルと、スピーカと、ケースとを備える。パネルは、電子機器の表面に設けられたサファイア層を含み、当該表面側の第１の面と、当該第１の面とは反対側の第２の面とを有する。スピーカは、パネルの厚み方向において第２の面と対向する第１部分を有し、電気信号を音に変換して当該音を出力する。当該音を電子機器の外側に導くための開口部が、ケースに位置する。
【発明の効果】
【０００７】
電子機器の表面に設けられるパネルが割れにくくなる。
【図面の簡単な説明】
【０００８】
【図１】電子機器の外観の一例を概略的に示す斜視図である。
【図２】電子機器の断面構造の概略を示す図である。
【図３】電子機器の断面構造の概略を拡大して示す図である。
【図４】支持部を支持面側から見た際の平面図である。
【図５】パネルが貼り付けられている支持部を当該パネルの外側主面側から見た際の平面図である。
【図６】カバー部材をその裏面側から見た際の平面図である。
【図７】パネルが貼り付けられている支持部を当該パネルの外側主面側から見た際の平面図である。
【図８】パネルが貼り付けられている支持部を当該パネルの外側主面側から見た際の平面図である。
【図９】電子機器の断面構造の概略を拡大して示す図である。
【図１０】パネルが貼り付けられている支持部を当該パネルの外側主面側から見た際の平面図である。
【図１１】電子機器の断面構造の概略を拡大して示す図である。
【発明を実施するための形態】
【０００９】
＜電子機器の外観＞
図１は、電子機器１の外観の一例を概略的に示す斜視図である。図２は、図１に示される矢視Ａ−Ａにおける断面構造の概略を示す図である。電子機器１は、例えば、スマートフォン等の携帯電話機である。
【００１０】
図１及び図２に示されるように、電子機器１は、当該電子機器１の前面に位置するパネル２と、当該パネル２が貼り付けられるケース３と、当該電子機器１の前面側から当該ケース３に取り付けられるカバー部材４とを備える。なお、本開示の電子機器には、カバー部材４を有しない電子機器も含まれる。
【００１１】
ケース３は、パネル２が取り付けられる前面側ケース３１と、当該前面側ケース３１に取り付けられる背面側ケース５１とを備えている。図２に示されるように、背面側ケース５１は、後述する電池２１０を収納するケース本体５１ａと、背面カバー５１ｂとで構成されている。背面カバー５１ｂは、ケース本体５１ａに対して電子機器１の裏面側から取り付けられる。ケース本体５１ａに収納された電池２１０は、背面カバー５１ｂで覆われている。前面側ケース３１と背面側ケース５１とは、図示しない接着剤または粘着材などによって取り付けられる。前述のように、ケース３は、前面側ケース３１と、背面側ケース５１とから構成される以外にも、単体の部品で構成されていてもよい。
【００１２】
カバー部材４は、平面視において略長方形の枠状であって、パネル２の前面における周端部を覆うようにケース３の前面側ケース３１に取り付けられる。パネル２における、周端部を除く大部分は、カバー部材４の開口４１０から露出している。パネル２、ケース３及びカバー部材４は、電子機器１の外装を成している。電子機器１の形状は、平面視において略長方形の板状となっている。
【００１３】
パネル２は、電子機器１の前面部分における、周縁部以外の部分を構成している。ケース３は、電子機器１の裏面部分と、当該電子機器１の側面部分における当該電子機器１の裏面側の部分とを構成している。カバー部材４は、電子機器１の前面部分の周縁部と、電子機器１の側面部分における当該電子機器１の前面側の部分とを構成している。ケース３及びカバー部材４は、例えば、樹脂で、あるいは樹脂及び金属で形成されている。当該樹脂としては、例えば、ポリカーボネート樹脂、ＡＢＳ樹脂あるいはナイロン系樹脂が採用される。また、当該金属としては、例えばアルミニウムなどが採用される。
【００１４】
パネル２は、板状であって、カバー部材４で覆われていない状態では平面視において略長方形を成している。パネル２の長手方向は電子機器１の上下方向と一致する。パネル２は、電子機器１の前面を構成する外側主面２０と、当該外側主面２０とは反対側に位置する内側主面２１とを有している。
【００１５】
図１に示されるように、パネル２は、外側主面２０に平行な第１方向ＤＲ１に沿って長い略長方形を成している。したがって、外側主面２０に平行かつ第１方向ＤＲ１に垂直な方向を第２方向ＤＲ２とすると、パネル２における第１方向ＤＲ１に沿った長さは、パネル２における第２方向ＤＲ２に沿った長さよりも大きくなっている。また、外側主面２０及び内側主面２１に垂直な方向を第３方向ＤＲ３とする。以降、第１方向ＤＲ１、第２方向ＤＲ２及び第３方向ＤＲ３を、それぞれ、長手方向ＤＲ１、短手方向ＤＲ２及び厚さ方向ＤＲ３と呼ぶことがある。なお、本開示の電子機器は、パネル２が外側主面２０に平行な第１方向ＤＲ１に沿って長い略長方形を成している電子機器に限定されない。
【００１６】
本実施の形態では、パネル２は、サファイアによって形成されている。つまり、パネル２は、電子機器１の表面に設けられたサファイアから成る層を含む一層構造のパネルである。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難く、割れや欠け等をより確実に抑制する点で、Ａｌ２Ｏ３純度は９９％以上であることが好ましい。パネル２の材料としては他に、例えば、ダイヤモンド、ジルコニア、チタニア、水晶、タンタル酸リチウム又は酸化窒化アルミニウムなどの結晶性材料が挙げられる。これらの材料も、傷がよりつき難く、割れや欠け等をより確実に抑制する点で、純度が約９０％以上の単結晶が好ましい。
【００１７】
また、パネル２は、サファイアから成る層を含む複数層構造の複合パネル（以降、積層パネルと呼ぶことがある）であっても良い。例えば、パネル２は、電子機器１の表面に設けられたサファイアから成る層（以降、サファイアパネルと呼ぶことがある）と、当該サファイアパネルに貼り付けられたガラスから成る層（以降、ガラスパネルと呼ぶことがある）とで構成された、２層構造の積層パネルであっても良い。また、パネル２は、電子機器１の表面に設けられた第１サファイアパネル（第１サファイア層）と、当該第１サファイアパネルに貼り付けられたガラスパネル（ガラス層）と、当該ガラスパネルに貼り付けられた第２サファイアパネル（第２サファイア層）とで構成された３層構造の積層パネルであっても良い。
【００１８】
パネル２の内側主面２１上には、例えば、液晶ディスプレイあるいは有機ＥＬディスプレイなどによって構成される表示部１２０が設けられる。表示部１２０は、文字、記号、図形あるいは画像などの各種情報を表示することが可能である。表示部１２０が表示する情報は、パネル２を通じて、電子機器１のユーザに視認可能となる。
【００１９】
また、パネル２の内側主面２１には、例えば、投影型静電容量方式などのタッチパネル１３０が貼り付けられている。そして、表示部１２０は、タッチパネル１３０における、パネル２の内側主面２１側の主面とは反対側の主面に貼り付けられている。つまり、表示部１２０は、タッチパネル１３０を介してパネル２の内側主面２１に取り付けられている。そして、表示部１２０は、パネル２と前面側ケース３１とで挟まれている。電子機器１のユーザは、パネル２の外側主面２０の露出面上を指等の操作子によって操作することで、電子機器１に対して各種指示を与えることができる。
【００２０】
図１及び図２に示されるように、カバー部材４の上側部分には、ケース３内に設けられるスピーカ６が出力する音を電子機器１の外側に取り出すための貫通穴５が設けられている。また、図２に示されるように、前面側ケース３１の上側部分には、スピーカ６が出力する音を電子機器１の外側に取り出すための貫通穴３２が設けられている。スピーカ６は、例えば、受話音を出力するレシーバであって、ダイナミックスピーカなどで構成されている。スピーカ６は、電気的な音信号を音に変換して出力することが可能である。
【００２１】
図２に示されるように、電子機器１の電源を出力する電池２１０がケース本体５１ｂに収納されている。電池２１０から出力された電源は、電子機器１が備えるタッチパネル１３０などの電子部品に対して供給される。
【００２２】
＜電子機器の内部構造＞
＜スピーカ周辺部の構造＞
電子機器１には、ケース３内のスピーカ６からの音を当該電子機器１の外側に導くための開口部が設けられている。以下では、電子機器１における、スピーカ６の周辺部の構造について、詳細に説明する。
【００２３】
図３は、図１に示される矢視Ａ−Ａにおける断面構造の概略を拡大して示す図である。図３では、電子機器１における、スピーカ６が設けられる部分の断面構造を拡大して示している。図２及び図３に示されるように、前面側ケース３１は、パネル２の内側主面２１を支持する支持部として機能する。以後、前面側ケース３１を支持部３１と呼ぶことがある。
【００２４】
支持部３１は、電子機器１の前面側の支持面３１ａと、当該支持面３１ａとは反対側の裏面３１ｂとを有している。支持面３１ａはケース３の前面を構成している。
【００２５】
図４は、支持部３１を支持面３１ａ側から見た際の平面図である。図４において、支持部３１の支持面３１ａのうち、パネル２が貼り付けられるパネル貼付領域３１０を斜線で示している。
【００２６】
図４に示されるように、支持部３１（前面側ケース３１）は枠状を成している。支持部３１の開口３２０内には、当該支持部３１と一体成形された板金８が設けられている。板金８は、支持部３１の剛性を高める。支持部３１の支持面３１ａでは、パネル貼付領域３１０が他の領域よりも一段低くなっている。また、板金８も、支持面３１ａの当該他の領域よりも一段低くなっている。
【００２７】
図３及び図４に示されるように、支持部３１の支持面３１ａのパネル貼付領域３１０には、厚さ方向ＤＲ３に沿って凹となる溝部３１ｃが設けられている。溝部３１ｃは、支持部３１の開口３２０の全周囲を取り囲むようにして設けられる。パネル２は、溝部３１ｃに設けられる貼付部材７によって支持部３１に貼り付けられる。具体的には、パネル２の内側主面２１の周縁部の全周囲が、貼付部材７によって支持部３１のパネル貼付領域３１０に貼り付けられている。貼付部材７としては、例えば接着剤などが採用される。なお、パネル２をケース３に取り付けるためのケース３の形状は、この限りではない。また、パネル２は、接着剤ではなく両面テープによってケース３に貼り付けられてもよい。この場合、ケース３の溝部３１ｃは不要となる。
【００２８】
図３に示されるように、支持部３１には、支持面３１ａから裏面３１ｂまで貫通する貫通穴３２が設けられている。本実施の形態では、貫通穴３２が、ケース３内のスピーカ６からの音を電子機器１の外側に導くための開口部となっている。貫通穴３２は、支持部３１の支持面３１ａに設けられた第１開口３２ａと、裏面３１ｂに設けられた第２開口３２ｂとを有している。
【００２９】
図３の例示では、スピーカ６は、貫通穴３２の第２開口３２ｂと対向するように支持部３１の裏面３１ｂに取り付けられている。スピーカ６は、例えば、両面テープあるいは接着剤などによって、支持部３１に取り付けられている。なお、スピーカ６は、貫通穴３２側に向けて音を出力することができる。スピーカ６は厚さ方向ＤＲ３において、パネル２の内側主面２１と対向する対向部分６ａを有している。
【００３０】
このように、ケース３には、当該ケース３内に設けられるスピーカ６が出力する音を電子機器１の外側に導くための貫通穴３２が設けられている。したがって、スピーカ６が、パネル２と厚さ方向ＤＲ３において対向する対向部分６ａを有している場合であっても、スピーカ６からの音を電子機器１の外側に導くことができる。また、スピーカ６が、貫通穴３２の第２開口３２ｂと対向するように支持部３１に取り付けられるため、スピーカ６が出力する音が電子機器１の外側に取り出されやすくなる。
【００３１】
スピーカ６がパネル２と厚さ方向ＤＲ３において対向しないように取り付けられる場合には、スピーカ６とパネル２とを、例えば、長手方向ＤＲ１において大きくずらして配置する必要がある。この場合、電子機器１は、長手方向ＤＲ１において大きくなる。本実施の形態では、ケース３に貫通穴３２が設けられていることから、スピーカ６が出力する音を電子機器１の外側に導くようにしながら、スピーカ６の一部がパネル２と厚さ方向ＤＲ３において対向するように当該スピーカ６を配置することができる。これにより、電子機器１の長さを小さくすることができる。
【００３２】
＜ケースの貫通穴の構造＞
以下では、ケース３に設けられる貫通穴３２の構造についてより詳細に説明する。
【００３３】
図５は、パネル２が貼り付けられている支持部３１を、当該パネル２の外側主面２０側からから見た際の平面図である。図５に示されるように、パネル２は、例えば、その４隅の角が切り取られた形状となっている。
【００３４】
図５に示されるように、パネル２及び貫通穴３２をパネル２の外側主面２０側から見た際には、貫通穴３２とパネル２とは、長手方向ＤＲ１に沿って並んでいる。貫通穴３２はパネル２より上側に位置している。パネル２は、貫通穴３２の第１開口３２ａの一部を覆っている。具体的には、パネル２は、第１開口３２ａの下側の略半分を覆っている。
【００３５】
なお、本実施の形態とは異なり、パネル２が第１開口３２ａの一部を覆わないように取り付けられる場合には、パネル２を、例えば、長手方向ＤＲ１において第１開口３２ａから大きくずらして配置する必要がある。この場合、電子機器１は、長手方向ＤＲ１において大きくなる。本実施の形態では、パネル２が第１開口３２ａの下側の略半部を覆うように、ケース３に取り付けられることから、電子機器１の長さを小さくすることができる。
【００３６】
図３及び図５に示されるように、貫通穴３２の内壁３２ｃは、長手方向ＤＲ１において互いに対向する第１対向面３２ｄ及び第２対向面３２ｅを有している。第１対向面３２ｄは、長手方向ＤＲ１において第２対向面３２ｅよりもパネル２側に位置している。
【００３７】
第１対向面３２ｄはパネル２の裏側に位置している。したがって、パネル２の外側主面２０側からの平面透視において、パネル２と、第１対向面３２ｄでの第１開口３２ａ側の一端３２ｄａとは互いに重なっている。また、当該平面透視において、パネル２と、第１対向面３２ｄでの第２開口３２ｂ側の一端３２ｄｂとは互いに重なっている。一方、第２対向面３２ｅはパネル２の裏側に位置していない。したがって、パネル２の外側主面２０側からの平面視において、第２対向面３２ｅでの第１開口３２ａ側の一端３２ｅａ及び第２開口３２ｂ側の一端３２ｅｂは、パネル２に覆われていない。
【００３８】
第１対向面３２ｄは、第２開口３２ｂ側から第１開口３２ａ側にかけて、第１対向面３２ｄから第２対向面３２ｅに向かう第４方向ＤＲ１１に傾斜する第１傾斜領域３２ｄｄを有している。第１傾斜領域３２ｄｄは、厚さ方向ＤＲ３に対して第４方向ＤＲ１１に傾斜しており、第１対向面３２ｄでの第２開口３２ｂ側の一端３２ｄｂから第１開口３２ａ側に延びている。また、第１対向面３２ｄは、第１傾斜領域３２ｄｄと繋がり、長手方向ＤＲ１において、後述する第２傾斜領域３２ｅｄと対向する第１垂直領域３２ｄｅを有する。第１垂直領域３２ｄｅは、第１対向面３２ｄでの第１開口３２ａ側の一端３２ｄａから、第２開口３２ｂ側に、厚さ方向ＤＲ３に沿って延びている。
【００３９】
第２対向面３２ｅは、第２開口３２ｂ側から第１開口３２ａ側にかけて、第４方向ＤＲ１１に傾斜する第２傾斜領域３２ｅｄを有している。また、第２対向面３２ｅは、第２傾斜領域３２ｅｄと繋がり、第１方向ＤＲ１において、第１傾斜領域３２ｄｄと対向する第２垂直領域３２ｅｅを有する。また、第２対向面３２ｅは、平坦領域３２ｅｆ及び第３垂直領域３２ｅｇを備える。第２垂直領域３２ｅｅは、第２対向面３２ｅでの第２開口３２ｂ側の一端３２ｅｂから第１開口３２ａ側に向かって、厚さ方向ＤＲ３に沿って延びている。第２傾斜領域３２ｅｄは、厚さ方向ＤＲ３に対して第４方向ＤＲ１１に傾斜しており、第２垂直領域３２ｅｅの第２開口３２ｂ側の一端とは反対側の一端から第１開口３２ａ側に延びている。平坦領域３２ｅｆは、第２傾斜領域３２ｅｄの第２垂直領域３２ｅｅ側の一端とは反対側の一端から、第２傾斜領域３２ｅｄから離れるように長手方向ＤＲ１に沿って延びている。第３垂直領域３２ｅｇは、平坦領域３２ｅｆの第２傾斜領域３２ｅｄ側の一端とは反対側の一端から第１開口３２ａに向かって厚さ方向ＤＲ３に沿って延びている。
【００４０】
このように、貫通穴３２が有する、互いに対向する第１対向面３２ｄ及び第２対向面３２ｅのそれぞれは、第２開口３２ｂ側から第１開口３２ａ側にかけて、第４方向ＤＲ１１に傾斜する傾斜領域を有している。したがって、第１対向面３２ｄでの第２開口３２ｂ側の一端３２ｄｂがパネル２の裏側に存在する場合であっても、第１開口３２ａのうち、パネル２で覆われていない領域３２ａａ（図３参照）を大きくすることができる。つまり、パネル２の外側主面２０側からの平面透視において、当該パネル２と、第１対向面３２ｄでの第２開口３２ｂ側の一端３２ｄｂとが互いに重なっている場合であっても、領域３２ａａを大きくすることができる。よって、スピーカ６が出力する音を、貫通穴３２を通じて電子機器１の外側に取り出しやすくなる。
【００４１】
また、本実施の形態では、支持部３１（前面側ケース３１）は、例えば金型を用いて成形される。支持部３１は、例えば、２つの金型を組み合わせ、当該２つの金型内に樹脂などの成形材料を流しこみことによって成形される。そして、成形材料が硬化した後に、２つの金型を分割することによって、完成した支持部３１が取り出される。
【００４２】
貫通穴３２における２つの金型の分割面は、第１対向面３２ｄでの、第１傾斜領域３２ｄｄと第１垂直領域３２ｄｅとの境界１００と、第２対向面３２ｅでの、第２傾斜領域３２ｅｄと第２垂直領域３２ｅｅとの境界１０１とを結ぶ、長手方向ＤＲ１に平行な面２００（図３参照）に設定される。本実施の形態では、第１対向面３２ｄの第１傾斜領域３２ｄｄと、第２対向面３２ｅの第２垂直領域３２ｅｅとは第２開口３２ｂ側に位置し、第１対向面３２ｄの第１垂直領域３２ｄｅと、第２対向面３２ｅの第２傾斜領域３２ｅｄとは第１開口３２ａ側に位置することから、貫通穴３２では、金型の分割面よりも第１開口３２ａ側及び第２開口３２ｂ側のそれぞれにおいてアンダーカットが発生することを抑制することができる。よって、完成した支持部３１を容易に金型から取り出しやすくなる。したがって、支持部３１が金型成形しやすくなる。
【００４３】
＜カバー部材の詳細構造＞
図３に示されるように、カバー部材４の裏面４ａの周縁部には、電子機器１の前面側に凹となる凹部４ｂが設けられている。一方、支持部３１の支持面３１ａの周縁部（ケース３の前面の周縁部）には、カバー部材４側に凸となる凸部３ｂが設けられている。カバー部材４の凹部４ｂと支持部３１の凸部３ｂとが嵌合することによって、カバー部材４は支持部３１に取り付けられている。なお、カバー部材４をケース３に取り付ける方法はこれ以外であってよい。図４及び図５においては、凸部３ｂの図示を省略している。
【００４４】
図３及び図５に示されるように、パネル２の上側端部は、貫通穴３２の第１開口３２ａを部分的に覆う部分２ａを有している。つまり、パネル２の部分２ａは、支持部３１によって支持されていない。したがって、パネル２の部分２ａに、当該パネル２の外側主面２０側から力が加わったとき、当該パネル２の上側端部において、端面２ｃ付近が割れる場合がある。
【００４５】
そこで、本実施の形態では、図３に示されるように、パネル２の部分２ａを覆うように、カバー部材４がケース３に取り付けられている。
【００４６】
図６は、カバー部材４をその裏面４ａ側から見た際の平面図である。図６においては、カバー部材４の凹部４ｂの図示を省略している。図３及び図６に示されるように、カバー部材４には、スピーカ６が出力する音を電子機器１の外部に取り出すための貫通穴５が設けられている。カバー部材４の貫通穴５は、ケース３の貫通穴３２と対向している。カバー部材４に、ケース３の貫通穴３２と対向する貫通穴５が設けられることによって、スピーカ６が出力する音は、電子機器１の外側に取り出されやすくなっている。
【００４７】
図３及び図６に示されるように、カバー部材４は、厚さ方向ＤＲ３において、パネル２と対向する対向面４１を有している。対向面４１は、厚さ方向ＤＲ３において、パネル２の部分２ａと対向する第１領域４１ａと、厚さ方向ＤＲ３において当該パネル２を間に挟んで支持部３１と対向する第２領域４１ｂとを有している。図６において、第２領域４１ｂを斜線で示している。
【００４８】
第１領域４１ａは、厚さ方向ＤＲ３において第２領域４１ｂよりもパネル２から離れた位置に存在する第３領域４１ｃを有している。つまり、第３領域４１ｃは、第２領域４１ｂよりも電子機器１の前面側に位置している。第３領域４１ｃは、パネル２の部分２ａに含まれる、当該パネル２の上側端部の端面２ｃを含む部分２ｂと対向している。第１領域４１ａのうち、第３領域４１ｃ以外の領域４１ｄは、第２領域４１ｂと同一平面上に位置している。よって、第３領域４１ｃは領域４１ｄよりも電子機器１の前面側に位置している。
【００４９】
このように、カバー部材４の裏面４ａのうち、パネル２の部分２ａと対向する第１領域４１ａは、厚さ方向ＤＲ３において第２領域４１ｂよりもパネル２から離れた位置に存在し、当該パネル２の端面２ｃを含む部分２ｂと対向する第３領域４１ｃを有する。つまり、カバー部材４の裏面４ａは、パネル２の部分２ａのうち、端面２ｃを含む部分２ｂに対して、離れた状態で対向する第３領域４１ｃを有する。これにより、パネル２の端面２ｃを含む部分２ｂに当該パネル２の外側主面２０側から力が加わることを抑制することができる。よって、パネル２の端面２ｃ付近が割れることを抑制することができる。
【００５０】
本実施の形態では、パネル２はサファイア層を含んでいる。サファイアはアルミナ（Ａｌ２Ｏ３）を主成分とする単結晶であり、例えばアクリル樹脂またはガラスと比較してその硬度が非常に高い。このため、サファイア層は、応力がかかった場合でも曲がりにくく、割れ等も発生しにくい。一方で、サファイア層は、機械加工などによって加工しにくくなっている。例えば、機械加工などによってサファイア層に貫通穴を設けるときに、その貫通孔の周辺に大きな力が加わる場合がある。このため、パネル２に貫通穴などの加工部を設ける場合に、当該加工部の端面などが欠けてしまう場合がある。あるいは、機械加工の際に、加工部周辺にクラックが発生する場合がある。
【００５１】
サファイアパネルの加工部周辺にクラックなどの欠陥がある状態で、当該加工部周辺に応力がかかると、当該欠陥が起点となって結晶構造に沿ってサファイアの劈開が進行し、パネル２が割れることがある。このように、硬度が高く割れ難いサファイアからなるパネル２であっても、貫通穴等の加工部を有する場合には、単純な形状のパネル２と比較すると割れやすくなる。
【００５２】
なお、本実施の形態とは異なり、パネル２に対して、スピーカ６が出力する音を電子機器１の外部に取り出すための貫通穴あるいは切り欠き部を設ける場合を考えた場合、パネル２はサファイア層を含んでいることから、パネル２に穴あるいは切り欠き部を設けることは容易ではない。また、パネル２に穴あるいは切り欠き部を設ける場合には、加工面に欠けが発生する可能性がある。さらに、パネル２の加工面を起点として、パネル２が割れる可能性がある。
【００５３】
本実施の形態では、ケース３及びカバー部材４のそれぞれに、スピーカ６が出力する音を電子機器１の外側に導くための貫通穴が設けられる。したがって、スピーカ６が、パネル２の厚さ方向ＤＲ３において当該パネル２と対向する対向部分６ａを有している場合であっても、スピーカ６からの音を電子機器１の外側に導くためにパネル２を加工する必要がない。よって、パネル２を容易に作製することができる。さらに、パネル２に欠けあるいは割れが発生することを抑制することができる。よって、パネル２の強度を向上することができる。
【００５４】
なお、パネル２は、サファイア以外の、例えば、ダイヤモンド、ジルコニア、チタニア、水晶、タンタル酸リチウム、酸化窒化アルミニウムなどの難加工性の結晶性材料により作製された層を含んでいてもよい。この場合であっても、サファイア層を含むパネル２と同様に、パネル２が欠けたり割れたりすることを抑制することができる。
【００５５】
また、前述のとおり、本実施の形態では、貫通穴３２を、ケース３内のスピーカ６からの音を電子機器１の外側に導くための開口部とみなしたが、本開示の開口部はこれに限定されない。例えば、図３のように貫通穴３２を有する例であっても、後述する変形例のように、パネル２とケース３とから構成される開口を本開示の開口部とみなしてもよい。具体的には、図３における、第１開口３２ａのうち、パネル２で覆われていない領域３２ａａ（パネル２の端面２ｃと支持部３１の第３垂直領域３２ｅｇとの間の開口）を開口部とみなしてもよい。
【００５６】
＜各種変形例＞
＜第１変形例＞
上記の例では、スピーカ６からの音を電子機器１の外側に導くための開口部は、当該ケース３の支持部３１に設けられる貫通穴３２であったが、当該開口部の形状はこの限りではない。
【００５７】
図７は、第１変形例にかかる、パネル２が貼り付けられている支持部３１を当該パネル２の外側主面２０側から見た際の平面図である。図７の例示では、支持部３１には、スピーカの音を電子機器１の外側に導くための開口部３５が設けられる。図３〜５に示される貫通穴３２と比較して、開口部３５の形状は、貫通穴３２の第１対向面３２ｄを取り除いたような形状となっている。具体的には、開口部３５は、支持部３１の開口３２０を構成する内壁３２０ａの上側の面３２０ｂにおいて、当該面３２０ｂの一部が長さ方向ＤＲ１に沿って上側に凹となる凹部によって形成されている。開口部３５は、支持面３１ａに設けられた開口３５ａを有する。
【００５８】
開口部３５の内壁における、上側の面となる領域３５ｅの形状は、例えば、図３〜５に示される貫通穴３２の第２対向面３２ｅの形状と同様である。領域３５ｅが有する、垂直領域３５ｅｅ、傾斜領域３５ｅｄ、平坦領域３５ｅｆ及び垂直領域３５ｅｇの形状は、それぞれ、第２対向面３２ｅが有する、第２垂直領域３２ｅｅ、第２傾斜領域３２ｅｄ、平坦領域３２ｅｆ及び第３垂直領域３２ｅｇと同様の形状となっている。
【００５９】
領域３５ｅの開口３５ａ側の一端３５ｅａは、パネル２に覆われていない。つまり、パネル２は、開口３５ａの下側の一部を覆っている。
【００６０】
このように、第１変形例におけるケース３には、当該ケース３内に設けられるスピーカ６が出力する音を電子機器１の外側に導くための、貫通穴３２とは異なる開口部３５が設けられている。開口部３５が上記のような形状であっても、貫通穴３２と同様に、パネル２と対向するようにケース３内に設けられるスピーカ６からの音を電子機器１の外側に導くことができる。
【００６１】
＜第２変形例＞
上記の例では、スピーカ６からの音を電子機器１の外側に導くための開口部がケース３によって構成されていたが、当該開口部は、ケース３と当該ケース３以外の部材部材とによって構成されてもよい。図８は、第２変形例にかかる、パネル２が貼り付けられている支持部３１を当該パネル２の外側主面２０側から見た際の平面図である。図９は、図８に示される矢視Ｂ−Ｂにおける断面構造の概略を拡大して示す図である。
【００６２】
図８及び図９に示されるように、支持部３１に設けられる開口３２０の内壁３２０ａは、当該内壁３２０ａの上側部分を構成する面３２０ｂを有する。内壁３２０ａの面３２０ｂは、開口３２０側の一端３２０ｂａを有している。面３２０ｂの一端３２０ｂａは、パネル２によって覆われていない。これにより、パネル２の端面２ｃと、支持部３１の面３２０ｂとによって、開口部３６が構成されている。開口部３６は、支持部３１の支持面３１ａ側及びパネル２の外側主面２０側に設けられた開口３６ａを有する。
【００６３】
このように、開口部３６は、ケース３とパネル２とによって構成されている。開口部がこのような構成であっても、貫通穴３２及び開口部３５と同様に、パネル２と対向するようにケース３内に設けられるスピーカ６からの音を電子機器１の外側に導くことができる。
【００６４】
図９に示されるように、第２変形例でのスピーカ６は、上記の例とは異なり、支持部３１において、パネル２と対向する底面３２０ｃ上に設けられている。このような場合であっても、スピーカ６を開口部３６のスピーカ６側の開口と対向するように設けることによって、当該スピーカ６からの音を電子機器１の外側に取り出しやすくすることができる。
【００６５】
なお、図９の例において、スピーカ６から開口部３６までの間に、当該スピーカ６からの音を開口部３６に導くための導音部品が設けられていてもよい。当該導音部品は、ケース３とは別部材であってもよい。また、この導音部品は、例えば、パネル２に取り付けられていてもよい。導音部品は、例えば、スピーカ６の放音口と対向し、当該スピーカ６からの音を電子機器１の外側に伝えるための筒状の部位を有していてもよい。導音部品は、例えば、樹脂から構成されていてもよい。また、後述するが、スピーカ６は、ケース３ではなく、パネル２側に位置していてもよい。例えば、スピーカ６は、接着剤、両面テープまたは別の部材を介在してパネル２に取り付けられていてもよい。
【００６６】
＜第３変形例＞
また、スピーカ６からの音を電子機器１の外側に導くための開口部が、ケース３と、パネル２及び当該ケース３以外の部材とで形成されていてもよい。図１０は、第３変形例にかかる、パネル２が貼り付けられている支持部３１を当該パネル２の外側主面２０側から見た際の平面図である。図１１は、図１０に示される矢視Ｃ−Ｃにおける断面構造の概略を拡大して示す図である。
【００６７】
図１０に示されるように、支持部３１の内壁３２０ａにおける上側の面３２０ｂには、部材９が取り付けられている。図１０において、部材９を斜線で示している。部材９は、パネル２及びケース３以外の部材である。部材９は、例えば、パネル２を支持するために、ケース３の支持部３１とは別体で設けられる。図１０の例示では、パネル２の上側端部の大部分が部材９のパネル側の支持面９ａによって支持されている。
【００６８】
支持部３１及び部材９には、それぞれ、支持面３１ａ側に開口する、開口３７ａａ及び開口３７ａｂが設けられる。支持部３１の開口３７ａａと、部材９の開口３７ａｂとが第１方向ＤＲ１に沿って繋がっている。これにより、開口３７ａが構成されている。つまり、開口３７ａを有する開口部３７が、ケース３と部材９とによって構成されている。
【００６９】
開口部３７ａは、第１方向ＤＲ１に沿って対向する、支持部３１側の面３７ｄと、部材９側の面３７ｅとを有する。面３７ｄの開口３７ａ側の一端３７ｄは、パネル２で覆われていない。面３７ｅは、パネル２によって覆われている。つまり、パネル２は、開口３７ａの下側部分を覆っている。
【００７０】
このように、開口部３７が、ケース３と、パネル２及び当該ケース３以外の部材９によって構成されている場合であっても、上記の例と同様に、パネル２と対向するようにケース３内に設けられるスピーカ６からの音を電子機器１の外側に導くことができる。
【００７１】
上記の例では、スピーカ６はケース３に位置していたが、本開示はこの例に限られず、スピーカ６はパネル２側に位置していてもよい。例えば、スピーカ６は、接着剤、両面テープあるいは、それらとは別の部材を介在してパネル２に取り付けられていてもよい。
【００７２】
上記の例において、スピーカ６からの音を電子機器１の外側に導くための開口部には、当該音を電子機器１の外側に導くとともに、埃などが電子機器１内に入らないようにするため、例えば網状の部材が設けられていてもよい。
【００７３】
上記の例では、本開示の技術を携帯電話機に適用する場合を例にあげて説明したが、本開示の技術は、電子機器の表面に設けられるパネルと、スピーカとを備える他の電子機器にも適用することができる。例えば、本開示の技術は、パーソナルコンピュータ、タブレット端末あるいは腕などに装着するウェアラブルタイプの電子機器等にも適用することができる。
【００７４】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【００７５】
１  電子機器
２  パネル
３  ケース
４  カバー部材
５  貫通穴
６  スピーカ
６ａ  対向部分
２０  外側主面
２１  内側主面
３１  支持部
３１ａ  支持面
３１ｂ  裏面
３２  貫通穴
３２ａ  第１開口
３２ｂ  第２開口
【図１】
0006541988.tif 000002
【図２】
0006541988.tif 000003
【図３】
0006541988.tif 000004
【図４】
0006541988.tif 000005
【図５】
0006541988.tif 000006
【図６】
0006541988.tif 000007
【図７】
0006541988.tif 000008
【図８】
0006541988.tif 000009
【図９】
0006541988.tif 000010
【図１０】
0006541988.tif 000011
【図１１】
0006541988.tif 000012